(57)【要約】【課題】従来の埋め込み型照明器具は、器具本体が樹脂で形成されている。このため、取付ばねを取り付ける取付部の構造を工夫して強度を増加しなければならないといった課題があった。【解決手段】埋め込み型照明器具１０は、容器１１とばね嵌合部１８とを有する。ばね嵌合部１８は、横方向に一定の間隔を開け、フランジ１５から立ち上がるように上方へ延びる一対の突条８１と、一対の突条８１の上半分の互いに向き合う側に形成された係止８２用溝と、一対の突条８１間の中央に位置するストッパ受け８３とを含む。照明器具１０は、全体がアルミダイカストによって一体成形されている。【効果】取付ばねの基端部を受けるばね嵌合部１８の構成をシンプルにでき、しかも取付強度に優れ、施工性の改良された埋め込み型照明器具となる。【選択図】図１
2015141755.tif 000002
【特許請求の範囲】
【請求項１】
開口、開口の周囲に張り出したフランジ、および当該フランジから開口に対して直交方向に立ち上がるように設けられた表面が平坦な立壁を有する容器と、前記立壁の表面に突設されたばね嵌合部とを有し、
前記ばね嵌合部は、
横方向に一定の間隔を開け、前記フランジから立ち上がるように上方へ延びる一対の突条と、
前記一対の突条の上半分の互いに向き合う側に形成された係止用溝と、
前記一対の突条間の中央に位置するストッパ受けと、を含み、
前記容器全体がアルミダイカストによって一体成形されていることを特徴とする、埋め込み型照明器具。
【請求項２】
前記開口内には、開口から内方へ凹み、略ドーム状の反射面が形成されていることを特徴とする、請求項１記載の埋め込み型照明器具。
【請求項３】
前記容器外側には、前記開口を中心に放射状に突出する多数の放熱フィンが形成されていることを特徴とする、請求項２記載の埋め込み型照明器具。
【請求項４】
前記立壁は、前記開口を中心にして対称な角度位置に少なくとも２つ設けられていることを特徴とする、請求項１〜３のいずれか一項に記載の埋め込み型照明器具。
【請求項５】
前記容器外側には、前記フランジと平行に延びる回路基板収容室が付設されており、
前記立壁は、一対備えられており、前記開口を中心に１８０°隔たる外側面で、前記回路基板収容室が設けられた位置と９０°隔たる位置に設けられていることを特徴とする、請求項４記載の埋め込み型照明器具。
【請求項６】
請求項１〜５のいずれか一項に記載の埋め込み型照明器具の取付けに用いる取付ばねであって、
長手の金属板により形成されており、一端側が前記ばね嵌合部に嵌まる基端部となっており、
前記基端部は、
略長方形状の主体板と、
前記主体板の先端辺を鉤形に折り曲げて形成された先端隙間調整脚と、
前記主体板の後方側の両側辺部を鉤形に折り曲げて形成された根元側隙間調整脚と、
前記主体板の先方側の両側辺部は両側へ張り出していて、前記ばね嵌合部の係止用溝に納まるようにされた被係止片と、
前記主体板の略中央部に切り起こしによって形成されており、前記ばね嵌合部のストッパ受けと係合するストッパ片と、
を含むことを特徴とする、取付ばね。
【請求項７】
前記基端部の主体板には、前記ストッパ片の両側に、主体板の強度を高めるためのリブが、プレス成形により形成されていることを特徴とする、請求項６記載の取付ばね。
【請求項８】
前記基端部の主体板の後方端は、前記金属板の長手方向に沿って折り曲げられて第１のばね部を成し、
さらに、第１のばね部の後方端には、第２のばね部および第３のばね部が、折り曲げにより連設されており、第３のばね部が取付用の作用部となっていることを特徴とする、請求項７記載の取付ばね。
【発明の詳細な説明】
【技術分野】
【０００１】
この発明は、埋め込み型照明器具およびその取付ばねに関する。
【背景技術】
【０００２】
従来より、天井などの取付面に設けた埋め込み孔に挿入して設置される埋め込み型照明器具、いわゆるダウンライトと称される照明器具が提供されている。
従来の埋め込み型照明器具は、埋め込み孔に器具本体を挿入し、器具本体から両側へ突出する長手の金属製板ばねにより、埋め込み型照明器具を固定するという方法が採用されている。（たとえば特許文献１〜４）。
【先行技術文献】
【特許文献】
【０００３】
【特許文献１】特開平８−１２４４１９号公報
【特許文献２】特開平９−１３４６１１号公報
【特許文献３】特開平４−６２７０９号公報
【特許文献４】特許第４１３４６５５号公報
【発明の概要】
【発明が解決しようとする課題】
【０００４】
従来の埋め込み型照明器具は、たとえば特許文献４に記載されているように、器具本体は樹脂で形成されている。このため、取付ばねを取り付ける取付部の構造を工夫して強度を増加しなければならないといった課題があった。
また、従来の埋め込み型照明器具は、光源に電球や蛍光灯を用いることを前提に設計されているので、その高さが比較的高かったり、回路基板収容部を外付けで設ける構成となっている。一方、最近は、光源としてＬＥＤが注目されており、光源にＬＥＤを用いた埋め込み型照明器具の改良した構成が望まれるところである。
【課題を解決するための手段】
【０００５】
この発明は、上述の課題を解決するためになされたものであり、ＬＥＤを光源とする埋め込み型照明器具およびその照明器具を取り付けるための取付ばねの新規な構成および構造を提供することを主たる目的とする。
上記の課題を解決するための請求項１記載の発明は、開口、開口の周囲に張り出したフランジ、および当該フランジから開口に対して直交方向に立ち上がるように設けられた表面が平坦な立壁を有する容器と、前記立壁の表面に突設されたばね嵌合部とを有し、前記ばね嵌合部は、横方向に一定の間隔を開け、前記フランジから立ち上がるように上方へ延びる一対の突条と、前記一対の突条の上半分の互いに向き合う側に形成された係止用溝と、前記一対の突条間の中央に位置するストッパ受けと、を含み、前記容器全体がアルミダイカストによって一体成形されていることを特徴とする、埋め込み型照明器具である。
【０００６】
請求項２記載の発明は、前記開口内には、開口から内方へ凹み、略ドーム状の反射面が形成されていることを特徴とする、請求項１記載の埋め込み型照明器具である。
請求項３記載の発明は、前記容器外側には、前記開口を中心に放射状に突出する多数の放熱フィンが形成されていることを特徴とする、請求項２記載の埋め込み型照明器具である。
【０００７】
請求項４記載の発明は、前記立壁は、前記開口を中心にして対称な角度位置に少なくとも２つ設けられていることを特徴とする、請求項１〜３のいずれか一項に記載の埋め込み型照明器具である。
請求項５記載の発明は、前記容器外側には、前記フランジと平行に延びる回路基板収容室が付設されており、前記立壁は、一対備えられており、前記開口を中心に１８０°隔たる外側面で、前記回路基板収容室が設けられた位置と９０°隔たる位置に設けられていることを特徴とする、請求項４記載の埋め込み型照明器具である。
【０００８】
請求項６記載の発明は、請求項１〜５のいずれか一項に記載の埋め込み型照明器具の取付けに用いる取付ばねであって、長手の金属板により形成されており、一端側が前記ばね嵌合部に嵌まる基端部となっており、前記基端部は、略長方形状の主体板と、前記主体板の先端辺を鉤形に折り曲げて形成された先端隙間調整脚と、前記主体板の後方側の両側辺部を鉤形に折り曲げて形成された根元側隙間調整脚と、前記主体板の先方側の両側辺部は両側へ張り出していて、前記ばね嵌合部の係止用溝に納まるようにされた被係止片と、前記主体板の略中央部に切り起こしによって形成されており、前記ばね嵌合部のストッパ受けと係合するストッパ片と、を含むことを特徴とする、取付ばねである。
【０００９】
請求項７記載の発明は、前記基端部の主体板には、前記ストッパ片の両側に、主体板の強度を高めるためのリブが、プレス成形により形成されていることを特徴とする、請求項６記載の取付ばねである。
請求項８記載の発明は、前記基端部の主体板の後方端は、前記金属板の長手方向に沿って折り曲げられて第１のばね部を成し、さらに、第１のばね部の後方端には、第２のばね部および第３のばね部が、折り曲げにより連設されており、第３のばね部が取付用の作用部となっていることを特徴とする、請求項７記載の取付ばねである。
【発明の効果】
【００１０】
この発明の埋め込み型照明器具によれば、全体がアルミダイカストによって一体成形されているので、ＬＥＤを光源として使用する照明器具としてシンプルでかつ放熱特性に優れた構成とすることができる。特に、取付ばねの基端部を受けるばね嵌合部の構成をシンプルな構成にすることができ、しかも取付強度に優れ、施工性の改良された埋め込み型照明器具とすることができる。
【００１１】
また、この発明の取付ばねは、基端部が照明器具のばね嵌合部と確実に嵌合し、施工時の取り扱い性能に優れた取付ばねを提供することができる。
【図面の簡単な説明】
【００１２】
【図１】図１は、この発明の一実施形態に係る埋め込み型照明器具１０の斜視図である。
【図２】図２は、埋め込み型照明器具１０を天井に取り付けた状態を説明するための図解図である。
【図３】図３は、埋め込み型照明器具１０に備えられているばね嵌合部１８の構成を説明するための図である。
【図４】図４は、この発明の一実施形態に係る取付ばね３０の斜視図である。
【図５】図５は、ばね嵌合部１８に取付ばね３０の基端部３１を嵌めた状態の正面図である。
【図６】図６は、図５のＡ−Ａに沿う縦断面断面を表わす模式図である。
【発明を実施するための形態】
【００１３】
以下には、図面を参照して、この発明の実施形態について具体的に説明をする。
図１は、この発明の一実施形態に係る埋め込み型照明器具１０の斜視図である。埋め込み型照明器具１０は、光源としてのＬＥＤ２２（図２を参照）が収容される容器１１と、ＬＥＤ２２を点灯させるための回路基板が収容される回路基板収容室１２とが一体になった外観形状を有している。この埋め込み型照明器具１０は、全体がアルミダイカストによって一体成形されていることが１つの特徴である。
【００１４】
容器１１は、お椀を伏せた形態の本体ドーム１３と、本体ドーム１３の下面に開いた開口１４と、開口１４の周囲に張り出したフランジ１５と、フランジ１５の上面から開口１４に対して直交方向に上方へ立ち上がるように設けられた左右一対の立壁１６と、本体ドーム１３の外側に突設され、開口１４を中心に放射状にかつ上方に向かって立ち上がっている多数の放熱フィン１７とを有しており、これらは全てがアルミダイカストによって一体成形されている。
【００１５】
一対の立壁１６の表面は平坦面とされており、当該立壁１６の表面にばね嵌合部１８が突設されている。
回路基板収容室１２は、容器１１の上部から横方向に水平に延び出ており、略直方体形状の収容室を形成している。回路基板収容室１２を含む埋め込み型照明器具１０全体をアルミダイカストにより一体成形することにより、回路基板収容室１２６も放熱フィン１７と共に放熱に寄与できて好ましい。
【００１６】
回路基板収容室１２は、その上面が開放しており、この上面を塞ぐようにベースプレート１９が取り付けられている。ベースプレート１９は、その下面側に図示しない回路素子が実装された回路基板を有する。ベースプレート１９の一端は回路基板収容室１２の側方へ突出しており、当該突出部の下面側にコネクタ素子２０が配置されている。
この実施形態に示すように、立壁１６は、開口１４を中心にして対称な角度位置に２つ、すなわち一対設けられているもの限らない。例えば、開口１４を中心にして、対称な角度位置に３つ、またはそれ以上の立壁１６が設けられた構成としてもよい。
【００１７】
図２は、埋め込み型照明器具１０を天井２５に設置した状態を示す図解的な図である。
取付面である天井２５には取付用の埋め込み孔２６が形成されている。埋め込み型照明器具１０は、埋め込み孔２６の外側、すなわち天井２５の下面にフランジ１５が露出するように、埋め込み孔２６に嵌め込まれる。そして左右一対の立壁１６に設けられたばね係合部１８（図１参照）に取付ばね３０の基端部が嵌められ、取付ばね３０の作用部が天井２５の裏側に配置された垂木２７等に係合される。これにより、取付ばね３０の弾力により埋め込み型照明器具１０には上方への付勢力が加わり、フランジ１５が天井２５の埋め込み孔２６の周囲を上方へ押し上げる力が働く。そして、埋め込み型照明器具１０は、天井２５の埋め込み孔２６に埋め込まれた状態で確実に保持される。
【００１８】
なお、図２は、埋め込み型照明器具１０の本体ドーム１３の内面に設けられた略ドーム型の反射面と、光源としてのＬＥＤの配置位置がわかるように、一部断面で示されている。図２において、２１が反射面であり、２２がＬＥＤである。
図３は、立壁１６の表面に突設されたばね嵌合部１８を示す拡大斜視図である。図３を参照して、ばね嵌合部１８は、立壁１６の表面１６Ａに突設されている。ばね嵌合部１８は、フランジ１５の上面から立ち上がるように上方へ延びる一対の突条８１を有する。一対の突条８１は横方向に一定の間隔Ｄ１を開けて立設されている。一対の突条８１のほぼ上半分の互いに向き合う面には、係止用溝８２が形成されている。係止用溝８２が形成された領域の一対の突条８１の横方向にみた間隔はＤ２（Ｄ１＜Ｄ２）である。より具体的には、突条８１のほぼ上半分の部分において、突条８１の正面および外側面を残し、断面形状が鉤形（Ｌ字状）になるように上下方向に長手の角棒状の係止用溝８２が形成されている。係止用溝８２の下端は、突条８１に形成された受け棚８３になっている。
【００１９】
さらに、一対の突条８１間の中央位置、すなわち立壁１６の表面１６Ａの中央位置には、ストッパ受け８４が突設されている。
図４は、この発明の一実施形態に係る取付ばね３０の斜視図である。取付ばね３０は、前述した埋め込み型照明器具１０に適用され、埋め込み型照明器具１０を埋め込み孔２６等に取り付ける際に用いられる。
【００２０】
取付ばね３０は、長手の金属板により形成されている。取付ばね３０は、その一端側が埋め込み型照明器具１０のばね嵌合部１８に嵌まる基端部３１となっている。
基端部３１は、略長方形状の主体板３２を有する。主体板３２の先端辺は鉤形に折り曲げられ、先端隙間調整脚３３とされている。また、主体板３２の後方側の両側辺部も鉤形に折り曲げられ、根元隙間調整脚３４とされている。主体板３２の後方側の両側辺部が折り曲げられて根元隙間調整脚３４が形成されたため、主体板３２の先方側の両側辺部は、両側へ張り出していて、被係止片３５を形成している。さらに、主体板３２の先方側略中央部には、切り起こしによって形成されたストッパ片３６が設けられている。ストッパ片３６は、主体板３２のほぼ中央に切り起こし起点を有し、その先方側が主体板３２から浮き上がるように切り起こされている。
【００２１】
主体板３２には、さらに、ストッパ片３６の両側方に、前後方向（上下方向）に延びる一対のリブ３７が形成されている。当該一対のリブ３７は、主体板３２の前後方向（上下方向）の曲げ強度を高めるものである。一対のリブ３７は、たとえばプレス成形により形成されている。
基端部３１の後方側は略Ｕ字状に湾曲された第１のばね部３８とされ、さらにその先は、金属板の長さ方向に沿って折り曲げられ、第２のばね部３９および第３のばね部４０となっている。そして第３のばね部４０の後端辺は鉤形に折り曲げられて係止片４１となっている。
【００２２】
取付ばね３０において、主体板３２の後方側、すなわち根元隙間調整脚３４が形成された部分の左右方向の幅Ｗ１は、ばね嵌合部１８を構成する一対の突条８１の間隔Ｄ１とほぼ同等（Ｗ１≒Ｄ１）で、その間隔Ｄ１よりもやや狭い寸法とされている。一方、主体板３２の前方側、すなわち被係止片３５を含む主体板３２の幅Ｗ２は、Ｗ２≒Ｄ２で、Ｄ２よりもやや狭い寸法とされている。
【００２３】
図５は、取付ばね３０の基端部３１が埋め込み型照明器具１０のばね嵌合部１８に嵌められた状態の正面図であり、図６は、図５のＡ−Ａに沿う縦断面の模式図である。
図５および図６を参照して説明すると、照明器具１０のばね嵌合部１８に対してその上方側から取付ばね３０の基端部３１の後方側を下方へずらすようにして嵌め込まれる。
ばね嵌合部１８に取付ばね３０の基端部３１が嵌められた状態において、被係止片３５は、係止用溝８２に係合され、基端部３１が正面側に外れるのを阻止する。
【００２４】
また、基端部３１をその後方側から突条８１間に上から下へと向かって挿入することにより、ストッパ片３６はストッパ受け８４を乗り越えて下方に嵌まる。このため、ストッパ片３６の先端は、ストッパ受け８４の下面の根元に対向し、基端部３１が上方へずれるのを阻止する。
また、基端部３１に設けられた先端隙間調整脚３３および根元隙間調整脚３４の作用で、基端部３１（主体板３２）は、係止用溝８２の正面側内側面にほぼ密着するように固定され、基端部３１がばね嵌合部１８に対してガタつくことを防止する。
【００２５】
かかる構成であるから、図２に示すように、埋め込み型照明器具１０を天井２５の埋め込み孔２６に装着した後、取付ばね３０の基端部３１を照明器具１０のばね嵌合部１８に簡単に嵌めることができ、そしてばね嵌合部１８に嵌めた取付ばね３０によって、埋め込み型照明器具１０が埋め込み孔２６に適切に取り付けられ、固定することができる。この施工を容易に行うことができる。
【００２６】
この発明は、以上説明した実施形態に限定されるものではなく、請求項記載の範囲内において種々の変更が可能である。
たとえば、上述の実施例では、埋め込み型照明器具１０は、アルミダイカストの一体成型品である旨説明したが、これに限らず、金属材料を用いた鋳造品であってもよい。
【符号の説明】
【００２７】
１０    埋め込み型照明器具
１１    容器
１２    回路基板収容室
１４    開口
１５    フランジ
１６    立壁
１７    放熱フィン
１８    ばね嵌合部
２１    反射面
２２    ＬＥＤ
３０    取付ばね
３１    基端部
３２    主体板
３３    先端隙間調整脚
３４    根元隙間調整脚
３５    被係止片
３６    ストッパ片
３７    リブ
３８    第１ばね部
３９    第２ばね部
４０    第３ばね部
８１    突条
８２    係止用溝
８４    ストッパ受け
【図１】
2015141755.tif 000003
【図２】
2015141755.tif 000004
【図３】
2015141755.tif 000005
【図４】
2015141755.tif 000006
【図５】
2015141755.tif 000007
【図６】
2015141755.tif 000008